(57)【要約】【課題】  操作性が良好で、画像および管理情報の書換えを確実に行うことができる画像書込装置、コネクタおよび表示記録媒体を提供する。【解決手段】  無電源で画像を可視表示可能な電子ペーパー（表示記録媒体）１００Ａをコネクタ１０Ａに装着し、画面部３Ａ，３Ｂ上にかざし、コネクタ１０Ａに設けられた操作ボタン１３を押下すると、パルス電圧が電子ペーパー１００Ａの画像表示記録領域に供給されるとともに、画像光が照射されて画像が書き込まれ、電子ペーパー１００ＡのＩＣチップ内の管理情報が書き換えられる。【選択図】      図１
2005352201.tif 000002
【特許請求の範囲】
【請求項１】
情報が書換え可能で、無電源で画像情報を可視表示可能な表示記録媒体に着脱可能なコネクタと、
前記コネクタに設けられ、操作により前記情報の書込み指令信号を出力するボタンと、
前記書込み指令信号に基づく制御部の制御により、前記コネクタから前記表示記録媒体に前記画像情報および前記画像情報に関する管理情報の書込み信号を印加する書込み部とを備えたことを特徴とする画像書込装置。
【請求項２】
前記表示記録媒体は、前記画像情報が書き込まれる第１の領域と前記管理情報が書き込まれる第２の領域とを備え、
前記書込み部は、前記第１の領域に前記画像情報を書き込む第１の書込み部と、前記第２の領域に前記管理情報を書き込む第２の書込み部とを備えたことを特徴とする請求項１記載の画像書込装置。
【請求項３】
前記第２の書込み部は、前記第２の領域から前記管理情報を読み取り、その読取り結果に応じて元の前記管理情報を新たな管理情報に書き換えることを特徴とする請求項２記載の画像書込装置。
【請求項４】
前記制御部は、前記第２の書込み部が読み取った前記管理情報に基づいて前記画像情報の書込みの可否を判定することを特徴とする請求項２記載の画像書込装置。
【請求項５】
前記表示記録媒体の前記第１の領域は、液晶層と光導電層を積層し、これを一対の電極間で挟んだ構成を有し、
前記第１の書込み部は、前記コネクタを介して前記一対の電極間に電圧を印加するとともに、前記第１の領域に画像光を照射して前記画像情報を書き込む光書込み部であることを特徴とする請求項２記載の画像書込装置。
【請求項６】
前記光書込み部は、光散乱状態と光透過状態に変化可能な調光層からなるスクリーンと、前記スクリーンに前記画像光を投影するプロジェクタとを備え、
前記制御部は、前記書込み指令信号に基づいて前記スクリーンを光透過状態にして前記画像光を前記スクリーンを通して前記第１の領域に照射させて前記画像情報を書き込むことを特徴とする請求項５記載の画像書込装置。
【請求項７】
前記表示記録媒体の前記第１の領域は、第１の面に前記画像光が書き込まれ、前記第１の面と反対側の第２の面において前記画像を表示することを特徴とする請求項５記載の画像書込装置。
【請求項８】
前記第２の書込み部は、前記コネクタに設けられ、前記第２の領域に対して前記管理情報を読書きすることを特徴とする請求項２記載の画像書込装置。
【請求項９】
前記第２の書込み部は、非接触により前記管理情報を読書きすることを特徴とする請求項８記載の画像書込装置。
【請求項１０】
前記第２の書込み部は、前記管理情報として前記第１の領域に書き込んだ前記画像情報の出所源を示す情報を前記第２の領域に書き込むことを特徴とする請求項２記載の画像書込装置。
【請求項１１】
書換え可能な画像表示領域と管理情報記録領域を有する表示記録媒体に着脱可能なコネクタにおいて、
操作により前記画像表示領域および前記管理情報記録領域に対する書込み指令信号を出力するボタンと、
前記コネクタが前記表示記録媒体に装着されたとき、前記表示記録媒体の入力端子に接続して前記画像表示領域に画像情報の書込み信号を印加する出力端子と、
前記管理情報記録領域に対して前記画像情報の管理情報を読書きする読書き部とを備えたことを特徴とするコネクタ。
【請求項１２】
前記画像情報および前記管理情報は、外部から受信して内部に備えたメモリに記憶した後、それぞれ前記画像表示領域および前記管理情報記録領域に書き込まれることを特徴とする請求項１１記載のコネクタ。
【請求項１３】
書換え可能な画像表示領域と管理情報記録領域を有する表示記録媒体において、
前記管理情報記録領域は、着脱可能に設けられたメモリカードに形成されたことを特徴とする表示記録媒体。
【発明の詳細な説明】
【技術分野】
【０００１】
本発明は、無電源で画像を可視表示可能な表示記録媒体に画像を書き込む画像書込装置、コネクタおよび表示記録媒体に関し、特に、操作性が良好で、画像の書込みの際、管理情報の書換えを確実に行うことができる画像書込装置、コネクタおよび表示記録媒体に関する。
【背景技術】
【０００２】
近年、画像の書換えが可能という電子ディスプレイの長所と無電源で画像を可視表示可能という紙の長所を併せ持った電子ぺーパーあるいはデジタルペーパーと称せられている表示記録媒体が注目されている。
【０００３】
このような表示記録媒体の画像書込装置として、特許文献１に示されるものがある。
【０００４】
この特許文献１に記載された画像書込装置は、光透過状態と光散乱状態に切換え可能な調光スクリーンに画像光を投影するプロジェクタと、液晶層と光導電層を積層し、これを一対の透明電極間に配置してなる光書込型表示記録媒体と、この表示記録媒体に装着して一対の透明電極間に電圧を印加するためのクリップ式の電圧印加用コネクタとを備える。
【０００５】
このような構成において、光散乱状態の調光スクリーンにプロジェクタから画像光を投影すると、その画像光は調光スクリーンで散乱するため、投影された画像を広い範囲で観察することができる。光書込型表示記録媒体をクリップ式の電圧印加用コネクタで挟み、これを投影画像上にかざし、電圧印加用コネクタに設けられた電圧印加開始ボタンを押下すると、調光スクリーンは光透過状態に切り換えられ、表示記録媒体に電圧が印加され、調光スクリーンを透過した画像光が表示記録媒体に書き込まれる。
【０００６】
この構成によれば、スクリーン上の画像を簡易に表示記録媒体に写しとることができる。しかし、何の制限なく表示記録媒体にコンテンツを書き込むことが可能でることから、コンテンツを入手する権利を有していないユーザにコンテンツを提供してしまうおそれがある。
【０００７】
そこで、表示記録媒体にユーザＩＤ、媒体ＩＤ等の管理情報を記録するようにした従来の画像書込装置が提案されている（例えば、特許文献２参照。）
【０００８】
特許文献２に記載された画像書込装置は、特許文献１に記載された画像書込装置と同様に、調光スクリーン、プロジェクタ、光書込型表示記録媒体および電圧印加用コネクタを備え、さらに、光書込み型表示録媒体にＲＦＩＤタグを設け、プロジェクタに隣接して管理情報書込み部を設け、表示記録媒体の表示部に書き込んだ画像のアドレス、ファイル名等を管理情報書込み部によりＲＦＩＤタグに記録するようにしたものである。この構成によれば、表示部に書き込んだ画像を後に消去してもＲＦＩＤタグに記録したアドレス等を元に同じ画像を得ることができる。
【特許文献１】特開２００３−７５８６５号公報（［００９１］、図１３）
【特許文献２】特開２００４−１０２４３２号公報（［００７５］〜［００７８］、図１４）
【発明の開示】
【発明が解決しようとする課題】
【０００９】
しかし、特許文献２の画像書込装置によると、電圧印加開始ボタンの操作の他に、ＲＦＩＤタグへの管理情報の書込み指示を必要としているため、操作が煩雑となり、また、管理情報の書込み指示を忘れるおそれもある。さらに、ＲＦＩＣタグへ離れた場所から管理情報を読書きしているため、送受信の信号にパワーを必要とし、また信号にノイズが入るおそれもある。また、ＲＦＩＤタグに書き込まれた管理情報を利用するには、専用のリーダライタを必要とするため、利用性が低くなる。
【００１０】
従って、本発明の目的は、操作性が良好で、画像情報の書込みの際、管理情報の書換えを確実に行うことができる画像書込装置およびコネクタを提供することにある。
また、本発明の他の目的は、表示記録媒体に書き込まれた管理情報の利用性を高めた表示記録媒体を提供することにある。
【課題を解決するための手段】
【００１１】
本発明は、上記目的を達成するため、情報が書換え可能で、無電源で画像情報を可視表示可能な表示記録媒体に着脱可能なコネクタと、前記コネクタに設けられ、操作により前記情報の書込み指令信号を出力するボタンと、前記書込み指令信号に基づく制御部の制御により、前記コネクタから前記表示記録媒体に前記画像情報および前記画像情報に関する管理情報の書込み信号を印加する書込み部とを備えたことを特徴とする画像書込装置を提供する。
【００１２】
上記構成によれば、表示記録媒体にコネクタを装着し、ボタンを押下すると、ボタンから書込み指令信号が出力され、書込み指令信号をトリガとして表示記録媒体に画像情報および画像情報の管理情報が書き込まれる。ここで、「画像情報に関する管理情報」は、ユーザＩＤ、媒体ＩＤ等を含む広い概念であり、主にデジタル情報で書き込まれるが、アナログ情報でもよい。画像情報と管理情報は、表示記録媒体の同一の領域に書き込んでもよく、異なる領域に書き込んでもよい。
【００１３】
本発明は、上記目的を達成するため、書換え可能な画像表示領域と管理情報記録領域を有する表示記録媒体に着脱可能なコネクタにおいて、操作により前記画像表示領域および前記管理情報記録領域に対する書込み指令信号を出力するボタンと、前記コネクタが前記表示記録媒体に装着されたとき、前記表示記録媒体の入力端子に接続して前記画像表示領域に画像情報の書込み信号を印加する出力端子と、前記管理情報記録領域に対して前記画像情報の管理情報を読書きする読書き部とを備えたことを特徴とするコネクタを提供する。
【００１４】
上記構成によれば、表示記録媒体にコネクタを装着し、ボタンを押下すると、ボタンから書込み指令信号が出力され、書込み指令信号をトリガとして表示記録媒体の画像表示領域に画像情報が書き込まれ、管理情報記録領域に管理情報が書き込まれる。画像情報の書込み信号は、媒体側の入力端子とコネクタ側の出力端子とを接触させて送信してもよく、光学的、磁気的又は熱的に接続して非接触で行ってもよい。
【００１５】
本発明は、上記目的を達成するため、書換え可能な画像表示領域と管理情報記録領域を有する表示記録媒体において、前記管理情報記録領域は、着脱可能に設けられたメモリカードに形成されたことを特徴とする表示記録媒体を提供する。
【発明の効果】
【００１６】
本発明の画像書込装置およびコネクタによれば、ボタンの操作で画像情報および画像情報の管理情報の書換えを行えるので、操作性が良好で、画像情報および管理情報の書換えを確実に行うことができる。
【００１７】
本発明の表示記録媒体によれば、汎用性の高いメモリカードを利用することで、管理情報の利用性が高くなる。
【発明を実施するための最良の形態】
【００１８】
［第１の実施の形態］
図１は、本発明の第１の実施の形態に係る電子ペーパーシステムを示す斜視図である。この電子ペーパーシステムは、表示記録媒体としての光書込み型の電子ペーパー１００Ａと、この電子ペーパー１００Ａに画像情報および画像情報の管理情報を書き込む画像書込装置１とを有して構成されている。
【００１９】
ここで、「管理情報」には、利用者の属性情報、電子ペーパーの属性情報、画像の属性情報等が含まれる。これらの属性情報には、下記の情報が含まれるが、管理情報はこれらの分類に限るものではない。
（１）利用者の属性情報には、当該システムを利用するユーザのＩＤ，氏名，性別，年齢，住所、選択したコンテンツを入手する権利の有無情報、選択したコンテンツを入手する際の課金情報等が含まれる。
（２）電子ペーパーの属性情報には、電子ペーパーＩＤ、温度，湿度等の電子ペーパーの使用環境の情報、緯度，経度，高度等の電子ペーパーの使用位置情報、電子ペーパーの書換え回数等の使用履歴情報等が含まれる。
（３）画像の属性情報には、書込み画像の出所源情報、書込み画像の出所源へのリンク情報、選択した文書が格納されているファイルパス情報や文書ＩＤ、ＩＳＢＮ(International Standard Book Number)等の書籍ＩＤ、情報を閲覧した時間，場所情報等が含まれる。
【００２０】
（画像書込装置の全体構成）
画像書込装置１は、２つの略箱型状の第１および第２の筐体２Ａ，２Ｂと、これの筐体２Ａ，２Ｂの上面にそれぞれ設けられた第１および第２の画面部３Ａ，３Ｂと、第１および第２の筐体２Ａ，２Ｂ内にそれぞれ設けられ、画面部３Ａ，３Ｂにミラー５Ａ，５Ｂを介して画像光４０を投影する第１および第２のプロジェクタ４Ａ，４Ｂと、第１の筐体２Ａ内に設けられた後述するコントローラユニットにケーブル７によって接続され、操作により押下信号（書込み指令信号）を出力する操作ボタン１３を備え、電子ペーパー１００Ａに電圧を印加するコネクタ１０Ａと、コントローラユニットおよびプロジェクタ４Ａ，４Ｂを制御するパーソナルコンピュータ（ＰＣ）８とを有する。
【００２１】
なお、画面部３（３Ａ，３Ｂ）の数は上記の２つに限定されず、１つでも３つ以上でもよい。また、コントローラユニットは、画面部３毎に設けてもよい。また、コネクタ１０Ａは、画面部３毎に設けてもよい。コネクタ１０Ａを画面部３毎に設けることにより、画像の写しとり操作を効率的に行うこと可能となる。
【００２２】
（光書込み型の電子ペーパーの構成）
図２は、光書込み型の電子ペーパー１００Ａの平面図である。この光書込み型の電子ペーパー１００Ａは、薄型矩形状を有し、表面１００ａに画像表示記録領域１１０が設けられ、その周辺領域１１１に管理情報記録領域としてのＩＣチップ１２０ａおよびアンテナ（図示せず）からなるＲＦＩＤタグ１２０が設けられ、裏面１００ｂに一対の受電端子１０７Ａ，１０７Ｂが設けられている。
【００２３】
なお、ＲＦＩＤタグ１２０の代わりに、接触式のＩＣカードまたはＩＣラベルを用いてもよい。また、電子ペーパーの管理情報の記録領域への記録方式に応じて光学的、磁気的又は熱的に管理情報を読み書きしてもよい。
【００２４】
図３は、図２のＡーＡ線断面図である。この光書込み型電子ペーパー１００Ａは、対向配置された透明のＰＥＴ（ポリエチレンテレフタレート）フィルムからなる一対の基板１０１Ａ，１０１Ｂと、これらの内側に設けられたＩＴＯ（インジウム錫酸化物）からなる一対の透明電極１０２Ａ，１０２Ｂと、表面１００ａ側の透明電極１０２Ａの内側に設けられ、印加電圧に応じて反射率（透過率）が変化するメモリ性を有する液晶、例えば、コレステリック液晶からなる液晶層１０３と、液晶層１０３の内側に設けられた光吸収層１０４と、光吸収層１０４と裏面１００ｂ側の透明電極１０２Ｂとの間に設けられ、画像光４０の照射によって抵抗値が小さくなる光導電層１０５と、透明電極１０２Ａに一端が接続された延在部１０６とを備えて構成されている。上記コレステリック液晶は、マイクロカプセル中に封入され、樹脂バインダー中に分散した構成を採用することができる。この構成を採用した場合は、表示層の流動性を制限しつつ、機械的な強度が高まるので、外部からの圧力や屈曲などの応力に対しても表示画像が変化しにくいという利点がある。
【００２５】
裏面１００ｂ側の基板１０１Ｂには、一対の開口１０８ａ，１０８ｂが設けられ、一方の開口１０８ａの延在部１０６上に受電端子１０７Ａが設けられ、他方の開口１０８ｂの透明電極１０２Ｂ上に受電端子１０７Ｂが設けられている。
【００２６】
光導電層１０５は、２つの電荷発生層１０５ａ，１０５ｃと、これらの間に設けられた電荷輸送層１０５ｂとから構成されている。電荷輸送層１０５ｂの両側に電荷発生層１０５ａ，１０５ｃを積層した構成とすることにより、液晶層１０３への交流電圧の印加が可能となり、液晶層１０３の劣化を抑えることができ、駆動電圧の低電圧化、電子ペーパー１００Ａの高寿命化を実現することができる。
【００２７】
（光書込み型電子ペーパーへの書込み動作）
ここで、電子ペーパー１００Ａへの画像の書込み動作について説明する。一対の受電端子１０７Ａ，１０７Ｂを介して一対の透明電極１０２Ａ，１０２Ｂ間にパルス電圧を印加するとともに、画像光４０を裏面１００ｂに照射すると、その画像光４０は、基板１０１Ｂおよび透明電極１０２Ｂを通して光導電層１０５に照射される。光導電層１０５は、画像光４０の照射によって抵抗値が小さくなり、それにより光導電層１０５とのインピーダンス比で決まる液晶層１０３の分圧が増加し、一定以上の閾値を越えた電圧が印加された後、液晶層１０３における光反射率が大きい状態で保持される。
【００２８】
従って、電子ペーパー１００Ａを表面１００ａから見た場合、画像光４０が照射された領域は、照明光を受けて液晶層１０３で反射し、表示光として白く見える。逆に、画像光４０が照射されていない領域は、光導電層１０５の抵抗値が大きくなり、液晶層１０３には閾値を越えない電圧が印加された後、液晶層１０３は光を透過する状態で保持される。この液晶層１０３を通過した光は、光吸収層１０４で吸収されるため、画像光４０が照射されていない領域は、黒く見える。
【００２９】
この電子ペーパー１００Ａは、画像光４０の照射方向と、画像を見る方向が逆になっているので、ユーザは、電子ペーパー１００Ａを裏返しにすることなく、電子ペーパー１００Ａの表面１００ａをＥ方向から見れば、直ちに画像内容を確認することができる。
【００３０】
（コネクタの構成）
図４は、コネクタ１０Ａを示し、（ａ）は平面図、（ｂ）は（ａ）のＢ−Ｂ線断面図である。このコネクタ１０Ａは、コ字状のケース１１と、電子ペーパー１００Ａの当接面１２ａ，１２ｂを有する装着口１２と、ケース１１の表面から出没可能に設けられ、表面側に緑色を発光するＬＥＤランプ１３ａを埋設した操作ボタン１３と、ＲＦＩＤタグ１２０のＩＤチップ１２０ａに対して管理情報の読取りおよび書込みを行うリーダライタ１４と、装着口１２に露出し、装着口１２に装着された電子ペーパー１００Ａの受電端子１０７Ａ，１０７Ｂにパルス電圧を印加する給電端子１５Ａ，１５Ｂと、装着口１２の給電端子１５Ａ，１５Ｂに対向する位置に設けられ、装着口１２に装着された電子ペーパー１００Ａを給電端子１５Ａ，１５Ｂ側に押圧する押圧ばね１６Ａ，１６Ｂとを備え、電子ペーパ１００Ａに装着するときは、同図矢印で示す方向に装着される。この時、電子ペーパー１００Ａがコネクタ１０Ａ内部の所定の突き当て箇所まで挿入されると、突き当て位置に設けられたリミットスイッチ１９のレバーを電子ペーパー１００Ａの端部が押すことになり、スイッチＯＮの状態になると、前述した操作ボタン１３内のＬＥＤランプ１３ａが点灯するしくみになっている。この構成の採用により、電子ペーパー１００Ａへの電圧印加前に、電子ペーパー１００Ａとコネクタ１０Ａの電極端子間の位置が適切であることが一目で確認できるようになっている。
【００３１】
（電子ペーパーシステムの制御系）
図５は、電子ペーパーシステムの制御系を示すブロック図である。この電子ペーパーシステムは、ＰＣ８にコントローラユニット６およびプロジェクタ４Ａ，４Ｂが接続され、コントローラユニット６に画面部３Ａ，３Ｂおよびコネクタ１０Ａが接続されている。コネクタ１０Ａの操作ボタン１３、リーダライタ１４および給電端子１５Ａ，１５Ｂは、前述したようにケーブル７によってコントローラユニット６に接続されている。
【００３２】
（画面部の構成）
第１の画面部３Ａは、図５に示すように、透明の第１のタッチパネル３０Ａと第１のスクリーン３１Ａを積層して構成され、第１のタッチパネル３０Ａが表面側となるように配置されている。第２の画面部３Ｂも、第１の画面部３Ａと同様に、透明の第２のタッチパネル３０Ｂと第２のスクリーン３１Ｂを積層して構成され、第２のタッチパネル３０Ｂが表面側となるように配置されている。
【００３３】
第１および第２のタッチパネル３０Ａ，３０Ｂは、例えば、抵抗膜方式（感圧方式）のものを用いるが、電磁誘導方式、静電結合方式、超音波表面弾性波方式、赤外線遮光方式等を用いてもよい。
【００３４】
第１および第２のスクリーン３１Ａ，３１Ｂは、電圧を印加しない場合は光散乱状態となっており、電圧の印加によって光透過状態となるものであり、ポリマー中にネマティック液晶層をドロップ状に分散させ、これを透明電極を有する一対のフィルム基板で挟持したフィルム（例えば、日本板硝子ウムプロダクツ社のウムフィルム）を用いることができる。
【００３５】
（コントローラユニットの構成）
コントローラユニット６は、コネクタ１０Ａの操作ボタン１３からの押下信号を受け付けるとともに、リーダライタ１４との間で管理情報を送受信するコネクタコントローラ６０と、電子ペーパー１００Ａの受電端子１０７Ａ，１０７Ｂに給電端子１５Ａ，１５Ｂを介してパルス電圧を印加する電圧印加部６１と、第１および第２のタッチパネル３０Ａ，３０Ｂの座標位置を入力するタッチパネルコントローラ６２と、第１および第２のスクリーン３１Ａ，３１Ｂを光散乱状態と光透過状態との間で切り換えるスクリーンコントローラ６３とを備える。
【００３６】
（ＰＣの構成）
ＰＣ８は、ＰＣ８内部および電子ペーパーシステム全体を制御するＣＰＵ８０を有し、このＣＰＵ８０に、キーボード、マウス等の入力部８１と、液晶ディスプレイ等の表示部８２と、画面作成プログラム８３ａ等のＣＰＵ８０の動作プログラムを記憶するＲＯＭ８３と、データを一時記憶するＲＡＭ８４と、画像８５ａおよび管理情報８５ｂ等を記憶するＨＤＤ８５と、ＬＡＮ(Local Area Network)あるいはインターネット上の外部のサーバやＰＣ等と通信を行う通信部８６とを接続している。
【００３７】
（電子ペーパーシステムの動作）
次に、電子ペーパーシステムの動作を、画面部３Ａ，３Ｂの表示例を示す図６〜図９を参照し、図１０のフローチャートに従って説明する。
【００３８】
画像書込装置１の電源を投入すると、ＰＣ８のＣＰＵ８０は、ＨＤＤ８５から選択画面を読み出し、その画像信号を第１のプロジェクタ４Ａに送信する。第１のプロジェクタ４Ａは、ＣＰＵ８０からの画像信号に基づいて選択画面の画像光をミラー５Ａを介して第１の画面部３Ａに投影する（Ｓ１）。
【００３９】
図６は、その第１の画面部３Ａに表示された選択画面の一例を示す。この選択画面２００には、中央に「○○プレスリリース」の如くチャンネル表示画像２０１を表示し、その周囲にタイトルＴ1〜Ｔ8を表示した電子ペーパー１００Ａの画像表示記録領域１１０とほぼ等しい大きさを有する８枚のトピックスボタン２０２をマトリックス状に表示し、下側にチャンネル切替キー２０３およびトピック切替キー２０４を表示している。
【００４０】
この段階では、第１の画面部３Ａの第１のスクリーン３１Ａには電圧は印加されておらず、第１のスクリーン３１Ａは光散乱状態になっており、第１のスクリーン３１Ａに投影された選択画面２００は、広い視野角で第１のタッチパネル３０を通して見ることができる。また、チャンネル表示画像２０１およびトピックスボタン２０２は、背景の色を黒、文字の色を白にして第１のスクリーン３１Ａの全面が光透過状態になっても、眩しくないようにしている。
【００４１】
チャンネル切替キー２０３は、これを手指で押下すると、現在表示されているチャンネルから他のチャンネルに表示内容が切り替わるものであり、トピック切替キー２０４は、これを手指で押下すると、現在表示されているチャンネルに属する他のトピックスボタンが表示される。
【００４２】
ユーザは、選択画面２００のうち一つのトピックスボタン（例えば、図６中斜線を施した部分）２０２をタッチしてタイトルＴ4を選択したとする（Ｓ２）。
【００４３】
タッチパネルコントローラ６２は、その座標情報をＣＰＵ８０に送信する。ＣＰＵ８０は、タッチパネルコントローラ６２から送信された座標情報に基づいてタイトルＴ4に対応する要約Ａ4の要約画像２０５、および詳細画面をＨＤＤ８５から読み出し、画面作成プログラム８３ａに基づいてＲＡＭ８４上でタイトルT4のトピックスボタン２０２の代りに要約Ａ4の要約画像２０５を嵌め込んだ画面を作成し、その画像光４０を第１のプロジェクタ４から第１のスクリーン３１Ａに投影させる。続いてＣＰＵ８０は、第２のプロジェクタ４Ｂから詳細画面の画像光４０を第２の画面部３Ｂに投影させる（Ｓ３）。
【００４４】
図７は、その第２の画面部３Ｂに表示された詳細画面、および第１の画面部３Ａに表示された選択画面の一例を示す。この詳細画面２１０には、タイトルＴ4のトピック画像２０２ａ、イメージ２１１、テキスト２１２、日付２１５等を用いてニュースの詳細が表示される。選択されて表示された要約画像２０５は、通常の紙のように背景の色が白、文字の色が黒にしている。ここで、他のトピックスボタン２０２を押下した場合は、そのトピックスボタン２０２は対応する要約画像２０５に切り替わり、第２の画面部３Ｂは、それに対応する詳細画面となる。このとき、それまで表示していた要約画像２０５は、トピックスボタン２０２に戻してもよい。
【００４５】
ユーザは、第１および第２の画面部３Ａ，３Ｂに投影された画面のうち画像を電子ペーパー１００Ａに写しとる場合は、電子ペーパー１００Ａをコネクタ１０Ａの装着口１２に装着し（Ｓ４）、図１および図４（ａ）に示すように、電子ペーパー１００Ａの短辺および長辺の側面を装着口１２の当接面１２ａ，１２ｂにそれぞれ当接する。所定の当接位置に電子ペーパー１００Ａが配置されると、リミットスイッチ１９がＯＮＬ、操作ボタン１３に埋設されたＬＥＤランプ１３Ａが緑色に点灯する。この状態では、コネクタ１０Ａの給電端子１５Ａ，１５Ｂは電子ペーパー１００Ａの受電端子１０７Ａ，１０７Ｂに接触している。
【００４６】
コネクタ１０Ａのリーダライタ１４は、ＣＰＵ８０の制御に基づくコネクタコントローラ６０からの制御信号により、常に近接するＩＣチップ１２０ａの固有ＩＤを検知するための連続的な読み取り動作を行っている。電子ペーパー１００Ａがコネクタ１０Ａに挿入されたことで、電子ペーパー１００Ａ内のＩＣチップ１２０ａの固有ＩＤ（所有者のユーザーＩＤとも言える）が管理情報の一部として読み取られ（Ｓ５）、取得した固有ＩＤ（ユーザＩＤ）を、コネクタコントローラ６０を介してＣＰＵ８０に送信する。ＣＰＵ８０は、ユーザＩＤを検索キーとしてＨＤＤ８５に格納されている管理情報８５ｂを検索し、当該ユーザーがコンテンツ情報を入手する権利を有する者か否かを判断する（Ｓ６）。ユーザが当該権利を有していない場合は、コネクタ１０Ａの操作ボタン１３を押下しても、なにも変化は起こらず、ステップＳ９以降の処理に進まない。この場合、再度コンテンツ情報の使用が許可されたＩＣチップの固有ＩＤ（ユーザーＩＤ）が読み取られるタイミングを待つ（Ｓ４）。
【００４７】
ステップＳ６において、ユーザが当該権利を有している場合は、写しとりたい画像上に電子ペーパー１００Ａを配置する。例えば、要約画像２０５を写しとりたい場合は図８に示すように、詳細画面２１０の一部を写しとりたい場合は図９に示すように、コネクタ１０Ａに装着した電子ペーパー１００Ａを画面部３に表示された画像のうち写しとりたい箇所に接近させて配置する（Ｓ７）。
【００４８】
次に、ユーザはコネクタ１０Ａの操作ボタン１３を押下する（Ｓ８）。その押下信号は、ケーブル７およびコントローラユニット６を介してＰＣ８のＣＰＵ８０に送信される。スクリーンコントローラ６３は、第１および第２のスクリーン３１Ａ，３１Ｂを光散乱状態から光透過状態に切り換える（Ｓ９）。
【００４９】
これに続いてＣＰＵ８０は、電圧印加部６１によってコネクタ１０Ａの給電端子１５Ａ，１５Ｂを介して電子ペーパー１００Ａの受電端子１０７Ａ，１０７Ｂにパルス電圧を印加する。これにより、前述したように電子ペーパー１００Ａの画像表示記録領域１１０に画像が書き込まれる。これに並行して、ＣＰＵ８０は、ＩＣチップ１２０ａに記録されている課金情報を更新する更新情報、および電子ペーパー１００Ａに書き込んだ画像の出所源情報、例えば、ＵＲＬ(Uniform Resource Locator)をリーダライタ１４に送信する。リーダライタ１４は、ＩＣチップ１２０ａ内の課金情報を更新するとともに、ＩＣチップ１２０ａにＵＲＬを書き込む（Ｓ９）。
【００５０】
画像の書換えと、管理情報の書換えが終わると、ユーザはコネクタ１０Ａから電子ペーパー１００Ａを離脱させる（Ｓ１０）。電子ペーパー１００Ａに書き込まれた画像は、無電源でも長期間に渡って表示し続け、ＩＣチップ１２０ａに書き込まれた管理情報は、ユーザ、電子ペーパー１００Ａ、画像等の管理に供される。
【００５１】
尚、特にコンテンツを利用するユーザーに制約を与える必要のない場合では、上述したフローチャートの内、コネクタ１０Ａに挿入した電子ペーパー１００Ａ上の固有ＩＤ（もしくは所有者のユーザーＩＤ）を読み取って、ＰＣ８内部のリストと照合することなく、操作ボタン１３の押下時にＳ９以降の動作に進む場合ももちろん可能である。
【００５２】
（第１の実施の形態の効果）
この第１の実施の形態によれば、以下の効果が得られる。
（イ）操作ボタン１３の１回の操作によって画像の書換えと管理情報の書換えが行われるので、操作が簡便になる。
（ロ）電子ペーパー１００Ａに書き込んだ画像のＵＲＬがＩＣチップ１２０ａに書き込まれるので、第１の画面部３Ａもしくは第２の画面部３Ｂ上に映し出された画面情報が時間経過などで、別の内容に変わっていたり消えていても、画像が写し取られた電子ペーパー１００Ａを、ＵＲＬ読み取り用リーダライタにかざす事で、ＩＣチップ１２０ａに記録されたＵＲＬを読み出し、対応する画像を再度画面上に呼び出すことができる。これにより、一時的に画面上に表示してあった一過性のある情報でも、電子ペーパーを使用することで、時間をおいて情報の共有、活用を促進することができる。
（ハ）表示装置として焦点深度の深いプロジェクタ４を用いているので、電子ペーパー１００Ａを画面に密着させる必要がないため、電子ペーパー１００Ａの傷や汚れを少なくすることができ、使い勝手の良い電子ペーパーシステムを提供することができる。
（ニ）電子ペーパー１００Ａに対し管理情報を非接触で読書きしているので、接続端子の磨耗等の問題がなく、長寿命化が図れる。
（ホ）ＲＦＩＣタグに接近した場所から管理情報を読書きしていたため、送受信の信号にパワーをそれほど必要とせず、また信号にノイズが入ることも少なくなり、管理情報の読書きの信頼性が高くなる。
【００５３】
[第２の実施の形態]
図１１は、本発明の第２の実施の形態に係る電子ペーパーを示す。同図に示す電子ペーパー１００Ａは、光書込み型のものであり、図３の構成において、液晶層１０３と光導電層１０５の配置を入れ替えると共に、液晶層１０３と光吸収層１０４の間に隔離層１０９を設け、更に光吸収層１０４を透明電極１０２Ａの内側に配設した構成にしたものである。これによれば、上記した電子ペーパー１００Ａと同様の原理で画像の書込みが行われるが、画像光４０が、基板１０１Ｂ、液晶層１０３、および隔離層１０９を通して光導電層１０５に照射され、見る方向が画像光４０の照射方向と同じになる。従って、表面１００ａは、光を透過させる必要がないため、電子ペーパー１００Ａを壁などに貼り付けた配置での表示情報の書き換えが可能になり、広告やデザインの表示面として利用することができる。
【００５４】
［第３の実施の形態］
図１２は、本発明の第３の実施の形態に係る電子ペーパーシステムを示す斜視図である。この電子ペーパーシステムは、表示記録媒体としての自己書込み型の電子ペーパー１００Ｂと、この電子ペーパー１００Ｂに画像情報および画像情報の管理情報を書き込む画像書込装置１とを有して構成されている。
【００５５】
画像書込装置１は、画面部３Ｃを有するスタンド９と、スタンド９の下部に配置されたコントローラユニット６と、自己書込み型の電子ペーパー１００Ｂにケーブル７を介して電源を供給するコネクタ１０Ｂと、コントローラユニット６に接続されたＰＣ８とを有して構成されている。
【００５６】
自己書込み型の電子ペーパー１００Ｂは、メモリ性を有する表示材料を複数のＸ電極と複数のＹ電極によって挟んで画像表示記録領域１１０を構成し、後述するＸドライバーおよびＹドライバーによってパッシブマトリクス駆動するようにしたものであり、管理情報の記録領域に第１の実施の形態と同様にＲＦＩＤタグを設けている。なお、自己書込み型の電子ペーパー１０Ｂは、メモリ性を有する表示材料を全面電極と複数の画素電極で挟んで画像表示記録領域１１０を構成し、ＴＦＴ駆動素子等を用いてアクティブ駆動する構成や、複数の表示エリアに分割されたセグメント電極で駆動するようにしてもよい。
【００５７】
図１３は、この第３の実施の形態に係る電子ペーパーシステムの制御系を示すブロック図である。この電子ペーパーシステムは、ＰＣ８にコントローラユニット６が接続され、コントローラユニット６に画面部３Ｃおよびコネクタ１０Ｂが接続されている。
【００５８】
（コネクタの構成）
コネクタ１０Ｂは、第１の実施の形態のコネクタ１０Ａに対し、ドライバーコントローラ１８を付加し、電子ペーパー１００Ｂの入力端子に対応する出力端子を備えたものであり、他は第１の実施の形態と同様に構成されている。ドライバーコントローラ１８は、電子ペーパー１０ＢのＸドライバー１２２ａおよびＹドライバー１２２ｂに供給するデータ信号、制御信号、駆動電圧等を生成するものである。なお、コネクタ１０Ｂを小型化するため、ドライバーコントローラ１８をコントローラユニット６に設けてもよい。
【００５９】
（画面部の構成）
画面部３Ｃは、透明のタッチパネル３２とＬＣＤ３３を積層して構成され、タッチパネル３２が表面側となるように配置されている。タッチパネル３２は、第１の実施の形態と同様に、抵抗膜方式（感圧方式）のものを用いるが、電磁誘導方式、静電結合方式、超音波表面弾性波方式、赤外線遮光方式等を用いてもよい。また、ＬＣＤ３３に単純マトリックス型ＬＣＤを用い、このＬＣＤにタッチパネルの機能を持たせて静電結合方式により座標を検出してもよい。これにより別途タッチパネルを設ける必要がないため、画面部を薄型化することができる。
【００６０】
（コントローラユニットの構成）
この第３の実施の形態のコントローラユニット６は、コネクタ１０Ｂの操作ボタン１３からの押下信号を受け付けるとともに、リーダライタ１４との間で管理情報を送受信し、ドライバコントローラ１８に必要な制御信号を出力するコネクタコントローラ６０と、タッチパネル３２の座標位置を入力するタッチパネルコントローラ６２と、ＬＣＤ３３の表示制御を行うＬＣＤコントローラ６５とを備える。
【００６１】
（電子ペーパーシステムの動作）
次に、電子ペーパーシステムの動作を図１４のフローチャートに従って説明する。電源を投入すると、画面部３Ｃには、ＰＣ８の制御によって第１の実施の形態と同様の選択画面が表示される（Ｓ２１）。すなわち、この選択画面２００には、中央にチャンネル表示画像２０１を表示し、その周囲にタイトルを表示した電子ペーパー１００Ｂの画像表示記録領域１１０とほぼ等しい大きさを有する８枚のトピックスボタン２０２をマトリックス状に表示し、下側にチャンネル切替キーおよびトピック切替キーを表示している。
【００６２】
ユーザが選択画面２００のうち一つのトピックスボタン２２０をタッチしてタイトルを選択すると（Ｓ２２）、タッチパネルコントローラ６２は、その座標情報をＣＰＵ８０に送信する。ＣＰＵ８０は、タッチパネルコントローラ６２から送信された座標情報に基づいて選択されたタイトルに対応する要約画像および詳細画面をＨＤＤ８５から読み出し、画面作成プログラム８３ａに基づいてＲＡＭ８４上でトピックスボタン２０２の代りに要約画像を嵌め込んだ画面を作成し、その画像をＬＣＤコントローラ６５によってＬＣＤ３３に表示させる（Ｓ２３）。
【００６３】
ユーザは、画面部３Ｃに表示された要約画像を電子ペーパー１００Ｂに写しとりたい場合は、電子ペーパー１００Ｂをコネクタ１０Ｂの装着口に装着する（Ｓ２４）。この状態では、コネクタ１０Ｂの出力端子１７は電子ペーパー１００Ｂの入力端子１２１に接触している。
【００６４】
コネクタ１０Ｂのリーダライタ１４は、電子ペーパー１００ＢのＩＣチップ１２０ａからユーザＩＤを含む管理情報を取得し（Ｓ２５）、ＣＰＵ８０に送信する。ＣＰＵ８０は、ユーザＩＤを検索キーとしてＨＤＤ８５に格納されている管理情報８５ｂを検索し、当該ユーザーがコンテンツ情報を入手する権利を有する者か否かを判断する（Ｓ２６）。ユーザが当該権利を有していない場合は、その後の操作ボタン１３の押下（Ｓ２７）を実行しても、ステップＳ２８以降の処理を行わずに、再度Ｓ２４に戻り、コンテンツ情報を有しているユーザーが電子ペーパー１００Ｂをコネクタ１０Ｂに挿入するのを待つ。
【００６５】
ステップ２６において、ユーザーがコンテンツ情報を入手する権利を有していた場合、コネクタ１０Ｂの操作ボタン１３の押下により、（Ｓ２５）。その押下信号は、ケーブル７およびコントローラユニット６を介してＰＣ８のＣＰＵ８０に送信される。
【００６６】
その後、ドライバコントローラ１８は、ＣＰＵ８０の制御の下に、出力端子１７および入力端子１２１を介してＸドライバー１２２ａおよびＹドライバー１２２ｂにデータ信号、制御信号および駆動電圧等を供給する。Ｘドライバー１２２ａおよびＹドライバー１２２ｂは、Ｘ電極およびＹ電極をパッシブ駆動して画像表示記録領域１１０に画像を書き込む。これと並行して、ＣＰＵ８０は、ＩＣチップ１２０ａに記録されている課金情報を更新する更新情報、および電子ペーパー１００Ｂに書き込んだ画像の出所源情報、例えば、ＵＲＬをリーダライタ１４に送信する。リーダライタ１４は、ＩＣチップ１２０ａ内の課金情報を更新するとともに、ＩＣチップ１２０ａにＵＲＬを書き込む（Ｓ２８）。
【００６７】
画像の書換えと、管理情報の書換えが終わると、ユーザはコネクタ１０Ｂから電子ペーパー１００Ｂを離脱させる（Ｓ２９）。電子ペーパー１００Ａに書き込まれた画像は、無電源でも長期間に渡って表示し続け、ＩＣチップ１２０ａに書き込まれた管理情報は、ユーザ、電子ペーパー１００Ｂ、画像等の管理に供される。
【００６８】
尚、特にコンテンツを利用するユーザーに制約を与える必要のない場合では、上述したフローチャートの内、コネクタ１０Ｂに挿入した電子ペーパー１００Ａ上の固有ＩＤ（もしくは所有者のユーザーＩＤ）を読み取って、ＰＣ８内部のリストと照合することなく、操作ボタン１３の押下時にＳ２８以降の動作に進む場合ももちろん可能である。
【００６９】
図１５は、第３の実施の形態に係る電子ペーパーシステムの利用形態を示す図である。コネクタ１０Ｂは、図１５（ａ）に示すように、電子ペーパー１００Ｂに対して着脱可能であるので、図１５（ｂ）〜（ｄ）に示すように、画像を電子ペーパー１００Ｂの画像表示記録領域に書き込み、これに対応して異なる管理情報ａ〜ｃをＩＣチップに記録してもよい。
【００７０】
（第３の実施の形態の効果）
この第３の実施の形態によれば、以下の効果が得られる。
（イ）操作ボタン１３の１回の操作によって画像の書換えと管理情報の書換えが行われるので、第１の実施の形態と同様に操作が簡便になる。
（ロ）電子ペーパー１００Ｂに書き込んだ画像のＵＲＬがＩＣチップに書込まれるので、電子ペーパー１００Ｂ上の画像が消えても、ＩＣチップに記録されたＵＲＬをリーダライタによって読み出すことで対応する画像を取得することができる。
【００７１】
次に、本発明の第４の実施の形態に係るコネクタついて説明する。この第４の実施の形態のコネクタは、第３の実施の形態において、ＰＣとは独立して外部から画像および管理情報を無線あるいは有線により受信する通信部と、受信した画像情報および管理情報を記憶するメモリと、操作ボタン１３の押下により、メモリが記憶する画像情報に基づいて出力端子１７および入力端子１２１に画像書込み信号を出力し、メモリが記憶する管理情報に基づいてリーダライタ１４により電子ペーパー１００ＢのＩＣチップを書き換えるコントローラと、コネクタ各部および電子ペーパー１００ＢのＸドライバーおよびＹドライバーに電力を供給するバッテリーとを設けたものである。このようにコネクタを画像書込装置と同等の機能を持たせることにより、システムの小型化を図ることができる。
【００７２】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【００７３】
また、管理情報として、様々な情報を書き込むことにより、上述したシステムに限らず、様々なシステムに応用することができる。
【００７４】
また、上記実施の形態では、コネクタから表示記録媒体への画像書込み信号をコネクタ側の端子と媒体側の端子とを接触させて送信したが、光学的、磁気的又は熱的に接続して非接触で行ってもよい。
【００７５】
また、メモリ性を有する表示記録媒体として、上記の他に、ロイコ染料を用いた感熱記録媒体や、強誘電液晶に代表されるメモリ性を有する液晶や、帯電した粒子を液中で移動させて表示を切り替える電気泳動方式、帯電した粒子を空気中で移動させて表示を切り替えるトナーディスプレイ方式、帯電した粒子を回転させて表示を切り替える粒子回転方式、磁気により粒子を移動させて表示を切り替える磁気泳動方式等の他の表示記録媒体を用いてもよい。
【００７６】
また、第１の実施の形態では、表示装置としてプロジェクタを用いたが、プロジェクタの代わりに、ＣＲＴディスプレイ、プラズマディスプレイ等の表示装置と結像光学系を組み合わせた投影装置により、表示装置からの画像光を電子ペーパーの画像表示記録領域に結像させてもよい。
【００７７】
また、表示装置として、プロジェクタの代りに、ＬＣＤ（液晶ディスプレイ）、ＥＬＤ（エレクトロルミネッセンスディスプレイ）、ＰＤＰ（プラズマディスプレイ）、ＶＦＤ（蛍光表示管ディスプレイ）、ＬＥＤ（発光ダイオード）ディスプレイ、ＦＥＤ（電界放出ディスプレイ）等のフラットディスプレイや、ＣＲＴディスプレイを用い、画像表示面に電子ペーパーを密着させてもよい。
【００７８】
また、画像を書き込む手段と同一の手段によって管理情報を表示記録媒体に書き込んでもよい。例えば、画像表示記録領域１１０に管理情報を書き込むことが考えられる。これにより、リーダライタ等の管理情報の読書き専用のデバイスが不要になり、構成の簡素化を図ることができる。
【００７９】
また、管理情報が書き込まれるメモリカードを電子ペーパーに着脱可能に設け、その管理情報が書き込まれたメモリカードをＰＣ等の外部装置のスロットに挿入してメモリカードから管理情報を読み出しもよい。これにより、管理情報の利用性が高くなる。
【図面の簡単な説明】
【００８０】
【図１】本発明の第１の実施の形態に係る電子ペーパーシステムを示す斜視図である。
【図２】本発明の第１の実施の形態に係る光書込み型の電子ペーパーの平面図である。
【図３】図２のＡ−Ａ線断面図である。
【図４】本発明の第１の実施の形態に係るコネクタを示し、（ａ）は平面図、（ｂ）は（ａ）のＢ−Ｂ線断面図である。
【図５】本発明の第１の実施の形態に係る電子ペーパーシステムの制御系を示すブロック図である。
【図６】本発明の第１の実施の形態に係る画面部の表示例を示す平面図である。
【図７】本発明の第１の実施の形態に係る画面部の表示例を示す平面図である。
【図８】本発明の第１の実施の形態に係る画面部の表示例を示す平面図である。
【図９】本発明の第１の実施の形態に係る画面部の表示例を示す平面図である。
【図１０】本発明の第１の実施の形態に係る電子ペーパーシステムの動作を示すフローチャートである。
【図１１】本発明の第２の実施の形態に係る電子ペーパーを示す断面図である。
【図１２】本発明の第３の実施の形態に係る電子ペーパーシステムの制御系を示す斜視図である。
【図１３】本発明の第３の実施の形態に係る電子ペーパーシステムの制御系を示すブロック図である。
【図１４】本発明の第３の実施の形態に係る電子ペーパーシステムの動作を示すフローチャートである。
【図１５】（ａ）〜（ｄ）は、本発明の第３の実施の形態に係る電子ペーパーシステムの利用形態を示す平面図である。
【符号の説明】
【００８１】
１  画像書込装置
２Ａ  第１の筐体
２Ｂ  第２の筐体
３Ａ  第１の画面部
３Ｂ  第２の画面部
３Ｃ  画面部
４Ａ  第１のプロジェクタ
４Ｂ  第２のプロジェクタ
５Ａ，５Ｂ  ミラー
６  コントローラユニット
７  ケーブル
９  スタンド
１０Ａ，１０Ｂ  コネクタ
１１  ケース
１２  装着口
１２ａ，１２ｂ  当接面
１３  操作ボタン
１３ａ  ＬＥＤランプ
１４  リーダライタ
１５Ａ，１５Ｂ  給電端子
１７  出力端子
１８  ドライバーコントローラ
１９  リミットスイッチ
３０Ａ  第１のタッチパネル
３０Ｂ  第２のタッチパネル
３１Ａ  第１のスクリーン
３１Ｂ  第２のスクリーン
３２  タッチパネル
４０  画像光
６０  コネクタコントローラ
６１  電圧印加部
６２  タッチパネルコントローラ
６３  スクリーンコントローラ
６５  ＬＣＤコントローラ
８０  ＣＰＵ
８１  入力部
８２  表示部
８３  ＲＯＭ
８３ａ  画面作成プログラム
８４  ＲＡＭ
８５  ＨＤＤ
８５ａ  画像
８５ｂ  管理情報
８６  通信部
１００Ａ，１００Ｂ  型電子ペーパー
１００ａ  表面
１００ｂ  裏面
１０１Ａ，１０１Ｂ  基板
１０２Ａ，１０２Ｂ  透明電極
１０３  液晶層
１０４  光吸収層
１０５  光導電層
１０５ａ，１０５ｃ  電荷発生層
１０５ｂ  電荷輸送層
１０６  延在部
１０７Ａ，１０７Ｂ  受電端子
１０８ａ，１０８ｂ  開口
１０９  隔離層
１１０  画像表示記録領域
１１１  周辺領域
１２０  ＲＦＩＤタグ
１２０ａ  ＩＣチップ
１２１  入力端子
１２２ａ  Ｘドライバー
１２２ｂ  Ｙドライバー
２００  選択画面
２０１  チャンネル表示画像
２０２ａ  トピック画像
２０２  トピックスボタン
２０３  チャンネル切替キー
２０４  トピック切替キー
２０５  要約画像
２１０  詳細画面
２１１  イメージ
２１２  テキスト
２１３  進むキー
２１４  戻るキー
【図１】
2005352201.tif 000003
【図２】
2005352201.tif 000004
【図３】
2005352201.tif 000005
【図４】
2005352201.tif 000006
【図５】
2005352201.tif 000007
【図６】
2005352201.tif 000008
【図７】
2005352201.tif 000009
【図８】
2005352201.tif 000010
【図９】
2005352201.tif 000011
【図１０】
2005352201.tif 000012
【図１１】
2005352201.tif 000013
【図１２】
2005352201.tif 000014
【図１３】
2005352201.tif 000015
【図１４】
2005352201.tif 000016
【図１５】
2005352201.tif 000017